(57)【要約】【課題】キーに対するユーザの誤操作および混乱を確実に防止することができるデータ入力装置、画像処理装置およびデータ入力方法を提供する。【解決手段】データ入力装置を備えたＭＦＰは、画像データの宛先の入力に用いられる宛先設定画面を操作パネル部に表示させるための複数種類の指示のうち、画像データの送信を伴う指示を受け付けた場合、宛先設定画面内に画像データの送信処理の開始を指示するための開始キーを配置させる設定を行う（Ｓ１０３）。一方、ＭＦＰは、画像データの送信を伴わずにワンタッチキーの登録を行う指示を受け付けた場合、宛先設定画面内に開始キーを配置させない設定を行う（Ｓ１０５）。【選択図】            図２
2005004363.tif 000002
【特許請求の範囲】
【請求項１】
所定のデータの入力に用いられる入力画面を表示させるための複数種類の指示のうちのいずれかを受け付ける受付手段と、
前記受付手段により受け付けられた指示の種類に応じて、前記入力画面内に配置するためのキー画像を当該入力画面における操作上必要なキー画像のみに設定する設定手段と、
前記設定手段により設定されたキー画像が配置された前記入力画面を表示する表示手段と
を有するデータ入力装置。
【請求項２】
請求項１に記載のデータ入力装置を備えてなる画像処理装置。
【請求項３】
前記表示手段に表示される入力画面のみを通して、ユーザの操作によるデータの入力を受け付ける請求項２に記載の画像処理装置。
【請求項４】
前記画像処理装置は、情報を送信するための情報送信装置であり、
前記所定のデータは、情報の宛先であり、
前記設定手段は、前記受付手段により情報の送信を伴う指示が受け付けられた場合、前記入力画面内に情報の送信処理の開始を指示するためのキー画像を配置させ、前記受付手段により情報の送信を伴わない指示が受け付けられた場合、前記入力画面内に情報の送信処理の開始を指示するためのキー画像を配置させない設定を行う請求項２または３に記載の画像処理装置。
【請求項５】
所定のデータの入力に用いられる入力画面を表示させるための複数種類の指示のうちのいずれかを受け付ける受付段階と、
前記受付段階において受け付けられた指示の種類に応じて、前記入力画面内に配置するためのキー画像を当該入力画面における操作上必要なキー画像のみに設定する設定段階と、
前記設定段階により設定されたキー画像が配置された前記入力画面を表示する表示段階と
を有するデータ入力方法。
【発明の詳細な説明】
【０００１】
【発明の属する技術分野】
本発明は、データ入力装置、画像処理装置およびデータ入力方法に関し、特に、入力画面を通してデータが入力されるデータ入力装置、画像処理装置およびデータ入力方法に関する。
【０００２】
【従来の技術】
ファクシミリ等の情報送信装置の分野では、その普及に伴って操作性の向上が図られてきている。たとえば、操作パネル上のワンタッチキーに関連付けて、ファクシミリ番号等の宛先をメモリに保存し得るファクシミリが知られている（たとえば、特許文献１参照）。かかるファクシミリは、ユーザにより操作されたワンタッチキーに対応する宛先に自動的に発呼して、原稿を読み取った画像データを当該宛先に送信する。
【０００３】
【特許文献１】
特開平９−２８２９６６号公報
【０００４】
【発明が解決しようとする課題】
ところで、上記従来のファクシミリにおいて、たとえば送信処理の開始を指示するための開始キーは、当該ファクシミリの操作パネル上に常設されるキーである。したがって、いかなるデータを入力する場合でも、開始キーなどの常設キーが操作パネル上で操作可能に存在する。
【０００５】
しかしながら、たとえば画像データの宛先を入力する場合には、画像データの送信を行うときと、画像データの送信を伴わずにワンタッチキーの登録を行うときとがあり、両者間でユーザの操作方法が異なる。つまり、画像データの送信を伴うときには開始キーは必要であるが、ワンタッチキーの登録のみを行うときには開始キーは不要であり、かかる不要なキーが誤って操作された場合には当該操作が無効となるように制御されなければならない。このように、操作上不要なキーの存在は、ユーザの誤操作を招くだけでなく、ユーザに余計な混乱を与えてしまうという問題があった。
【０００６】
本発明は、上記した課題を解決するためになされたものであり、本発明の目的は、キーに対するユーザの誤操作および混乱を確実に防止することができるデータ入力装置、画像処理装置およびデータ入力方法を提供することである。
【０００７】
【課題を解決するための手段】
本発明の目的は、下記する手段により達成される。
【０００８】
（１）所定のデータの入力に用いられる入力画面を表示させるための複数種類の指示のうちのいずれかを受け付ける受付手段と、前記受付手段により受け付けられた指示の種類に応じて、前記入力画面内に配置するためのキー画像を当該入力画面における操作上必要なキー画像のみに設定する設定手段と、前記設定手段により設定されたキー画像が配置された前記入力画面を表示する表示手段とを有するデータ入力装置。
【０００９】
（２）上記（１）に記載のデータ入力装置を備えてなる画像処理装置。
【００１０】
（３）前記表示手段に表示される入力画面のみを通して、ユーザの操作によるデータの入力を受け付ける上記（２）に記載の画像処理装置。
【００１１】
（４）前記画像処理装置は、情報を送信するための情報送信装置であり、前記所定のデータは、情報の宛先であり、前記設定手段は、前記受付手段により情報の送信を伴う指示が受け付けられた場合、前記入力画面内に情報の送信処理の開始を指示するためのキー画像を配置させ、前記受付手段により情報の送信を伴わない指示が受け付けられた場合、前記入力画面内に情報の送信処理の開始を指示するためのキー画像を配置させない設定を行う上記（２）または（３）に記載の画像処理装置。
【００１２】
（５）所定のデータの入力に用いられる入力画面を表示させるための複数種類の指示のうちのいずれかを受け付ける受付段階と、前記受付段階において受け付けられた指示の種類に応じて、前記入力画面内に配置するためのキー画像を当該入力画面における操作上必要なキー画像のみに設定する設定段階と、前記設定段階により設定されたキー画像が配置された前記入力画面を表示する表示段階とを有するデータ入力方法。
【００１３】
【発明の実施の形態】
以下、図面を参照して、本発明の実施の形態を説明する。
【００１４】
図１は、本発明の一実施形態に係るデータ入力装置を備えた多機能周辺機器（ＭＦＰ：Ｍｕｌｔｉ−Ｆｕｎｃｔｉｏｎ  Ｐｅｒｉｐｈｅｒａｌ）の構成を示すブロック図である。画像処理装置としてのＭＦＰ１００は、ＣＰＵ１０１、ＲＯＭ１０２、ＲＡＭ１０３、操作パネル部１０４、画像読取部１０５、印刷部１０６、ネットワークインタフェース１０７、および電話回線インタフェース１０８を含み、これらは信号を遣り取りするためのバス１０９を介して相互に接続されている。
【００１５】
ＣＰＵ１０１は、ＭＦＰ１００の各構成部分の制御および各種演算処理を行う。ＲＯＭ１０２は、プログラムやデータを格納する。ＲＡＭ１０３は、作業領域として一時的にプログラムやデータを記憶する。なお、ＭＦＰ１００は、外部記憶装置としてのハードディスクを有していてもよい。
【００１６】
ＲＯＭ１０２には、操作パネル部１０４に各種画面を表示するための個々のデータであるキー画像などの表示部品を有する部品データ部と、部品データ部における各表示部品に対する関連付けが定義されている部品関連付けテーブルとが格納されている。ＲＡＭ１０３には、操作中の動作モードや表示状態などの画面制御に関する情報である画面制御情報が記憶され得る。なお、画面制御情報の初期値である初期情報は、ＲＯＭ１０２に保存される。部品データ部の表示部品は、部品関連付けテーブルの内容、および画面制御情報にしたがって編集された後、操作パネル部１０４に表示され得る。
【００１７】
操作パネル部１０４は、各種情報の表示および各種指示の入力に使用される。操作パネル部１０４は、ディスプレイと、ディスプレイの画面上に設けられたタッチパネルとを有する（いずれも図示せず）。ディスプレイに表示された入力画面内のキー画像がユーザにより押されると、押された位置がタッチパネルにより検出され、検出された位置に対応する当該キー画像に割り当てられたデータ（コマンドを含む）が入力される。本明細書において、キー画像とは、操作パネル部１０４に表示されるキー（ソフトウェアキー）であって、ユーザの操作により当該キーに予め設定されたデータを入力するためのキーをいい、ボタンなどの名称を問わない。
【００１８】
本実施形態のＭＦＰ１００は、操作パネル部１０４上に常設されるハードウェアキーを有していない。したがって、各種の操作方法に応じたキーの配置が可能となる。ＭＦＰ１００は、操作パネル部１０４に表示される入力画面のみを通して、ユーザの操作によるデータの入力を受け付ける。ここでいうユーザの操作には、ＭＦＰ１００の外部からの電気通信回線を通した操作を含まない。ただし、操作パネル部１０４から分離された箇所に、いくらかのハードウェアキーを設けることは可能である。
【００１９】
画像読取部１０５は、原稿を読み取ることによって画像データを得る。画像読取部１０５は、原稿に光源で光を当ててその反射光を光電変換するためのＣＣＤ等の受光素子を有している。印刷部１０６は、電子写真式プロセス等の周知の作像プロセスを用いて各種データを用紙などの記録材上に印刷する。
【００２０】
ネットワークインタフェース１０７は、ＭＦＰ１００を図示しないＬＡＮ等のネットワークに接続するためのインタフェースである。また、電話回線インタフェース１０８は、ＭＦＰ１００を図示しない電話回線に接続するためのインタフェースである。
【００２１】
ＭＦＰ１００は、上述した構成要素以外の構成要素を含んでいてもよく、あるいは上述した構成要素のうちの一部が含まれていなくてもよい。
【００２２】
ＭＦＰ１００は、電話回線を介して画像データを送受信するファクシミリとしての機能、原稿のコピーを行う複写機としての機能、ネットワークに接続されることにより原稿を読み取って画像データをネットワーク上の他の機器に送信するスキャナとしての機能、およびネットワーク上の他の機器から受信した印刷ジョブに基づいて印刷を行うプリンタとしての機能を兼ね備えている。
【００２３】
次に、図２〜図１７を参照して、ＭＦＰ１００で行われる処理について説明する。なお、図２〜図６のフローチャートにより示されるアルゴリズムは、ＭＦＰ１００のＲＯＭ１０２などの記憶部にプログラムとして記憶されており、ＣＰＵ１０１により実行される。
【００２４】
ＭＦＰ１００は、各種送信処理のアプリケーションを実行する場合、ＲＯＭ１０２に格納されている画面制御情報の初期値である初期情報を用いて、操作パネル部１０４に初期画面（トップ画面）を表示させる（Ｓ１０１）。
【００２５】
図７は、トップ画面の一例を示す図である。図７に示すように、トップ画面５００内には、各種送信処理のアプリケーションを選択するためのアプリケーションキー群５０１、およびユーティリティボタン５１０が配置される。画面内に表示されるキーまたはボタンはいずれもキー画像（ソフトウェアキー）であり、当該画面を用いて所定のデータの入力が可能とされる（以降に示される各種画面において同じ）。
【００２６】
アプリケーションキー群５０１には、読み取った画像データをＦＡＸ送信（Ｓｃａｎ  Ｔｏ  ＦＡＸ）するためのＦＡＸキー５０２が含まれる。また、図７に示すように、ＩＦＡＸ送信、電子メール送信、ハードディスクへの保存処理、あるいはＦＴＰ送信などのアプリケーションを選択するためのキーが含まれていてもよい。
【００２７】
続いて、ＦＡＸキー５０２がユーザにより操作されたか（押されたか）否かが判断される（Ｓ１０２）。ＦＡＸキー５０２が押された場合（Ｓ１０２でＹＥＳ）、ＦＡＸ処理が実行される（Ｓ１０３）。このＦＡＸ処理についての詳細は後述する。
【００２８】
ＦＡＸキー５０２が押されていない場合（Ｓ１０２でＮＯ）、ユーティリティボタン５１０がユーザにより押されたか否かが判断される（Ｓ１０４）。ユーティリティボタン５１０が押された場合（Ｓ１０４でＹＥＳ）、ユーティリティ処理が実行される（Ｓ１０５）。このユーティリティ処理についての詳細は後述する。
【００２９】
なお、トップ画面５００において、他のアプリケーションを選択するためのキーが押された場合、押されたキーに対応する所定のアプリケーションが実行される。また、ＭＦＰ１００においてシステムがシャットダウンされることにより、図２の処理の実行は終了する。
【００３０】
次に、図３および図４を参照して、図２のステップＳ１０３におけるＦＡＸ処理について説明する。
【００３１】
まず、操作パネル部１０４に宛先設定画面が表示される（Ｓ２０１）。すなわち、表示される画面が宛先設定画面に遷移する。
【００３２】
図８は、ＦＡＸ処理における宛先設定画面の一例を示す図である。図８に示す宛先設定画面５２０ａは、情報（ここでは画像データ）の宛先の入力に用いられる入力画面である。宛先設定画面５２０ａ内には、送信処理の開始を指示するための開始キー５２１、停止キー５２２、テンキー５２３、別途設定されるアドレス帳に含まれる名称（表示名）およびファクシミリ番号（ＦＡＸ番号）が表示されるアドレス帳情報欄５２５、画像データの宛先を設定するための宛先設定ボックス５２６、通信詳細項目の設定情報一覧５２７、通信詳細項目の設定を行うための詳細設定ボタン５２８、および直前に表示された画面に戻るための「戻る」ボタン５３１が配置される。なお、アドレス帳には、さらに電子メールアドレス、およびファイル転送サーバアドレス（ＦＴＰアドレス）などの情報が含まれ得る。
【００３３】
詳細設定ボタン５２８が押されると、図示しない通信詳細項目設定画面が表示され、当該設定画面を用いて、原稿の種類（片面／両面）や読込みサイズなどの通信詳細項目が設定され得る。
【００３４】
ここで、宛先設定ボックス５２６への宛先の入力は、ユーザがアドレス帳情報欄５２５から所望の項目を選択することにより行われる。ただし、宛先の入力は、テンキー５２３を通して行われてもよい。また、宛先設定ボックス５２６には、複数の宛先が入力されてもよい。
【００３５】
続いて、「戻る」ボタン５３１がユーザにより押されたか否かが判断される（Ｓ２０２）。「戻る」ボタン５３１が押された場合（Ｓ２０２でＹＥＳ）、ステップＳ１０１に戻る。
【００３６】
「戻る」ボタン５３１が押されていない場合（Ｓ２０２でＮＯ）、開始キー５２１がユーザにより押されたか否かが判断される（Ｓ２０３）。開始キー５２１が押されていない場合（Ｓ２０３でＮＯ）、ステップＳ２０１に戻る。
【００３７】
開始キー５２１が押された場合（Ｓ２０３でＹＥＳ）、操作パネル部１０４に読込み確認画面が表示される（Ｓ２０４）。すなわち、表示される画面が読込み確認画面に遷移する。ここで、所定位置にセットされた原稿が画像読取部１０５により読み取られて画像データが取得され、取得された画像データはＲＡＭ１０３に記憶される。
【００３８】
図９は、読込み確認画面の一例を示す図である。図９に示すように、読込み確認画面５４０内には、原稿の読込みを続行させるための読込み続行ボタン５４１、および原稿の読込みが終了したことを確認するための読込み終了ボタン５４２が配置される。なお、読込み続行ボタン５４１が押された場合、追加された原稿の読み取りを行うことができる。
【００３９】
続いて、読込み終了ボタン５４２がユーザにより押されたか否かが判断される（Ｓ２０５）。読込み終了ボタン５４２が押されていない場合（Ｓ２０５でＮＯ）、ステップＳ２０４に戻る。
【００４０】
読込み終了ボタン５４２が押された場合（Ｓ２０５でＹＥＳ）、画像データの送信処理が行われる（Ｓ２０６）。ここで、ＲＡＭ１０２に記憶された画像データは、所定の形式に変換された後、ステップＳ２０１で設定された宛先に送信される。
【００４１】
画像データの送信処理が終了した後、操作パネル部１０４に、送信処理の終了を通知するための図示しない送信確認画面が所定時間だけ表示され（Ｓ２０７）、続いてワンタッチキー登録確認画面が表示される（Ｓ２０８）。すなわち、表示される画面が送信確認画面、続いてワンタッチキー登録確認画面に順次遷移する。
【００４２】
図１０は、ワンタッチキー登録確認画面の一例を示す図である。図１０に示すように、ワンタッチキー登録確認画面５６０内には、ワンタッチキーを登録することを指示するための「登録する」ボタン５６１、およびワンタッチキーを登録しないことを指示するための「登録しない」ボタン５６２が配置される。
【００４３】
続いて、「登録しない」ボタン５６２がユーザにより押されたか否かが判断される（Ｓ２０９）。「登録しない」ボタン５６２が押された場合（Ｓ２０９でＹＥＳ）、ステップＳ１０１に戻る。
【００４４】
「登録しない」ボタン５６２が押されていない場合（Ｓ２０９でＮＯ）、「登録する」ボタン５６１がユーザにより押されたか否かが判断される（Ｓ２１０）。「登録する」ボタン５６１が押されていない場合（Ｓ２１０でＮＯ）、ステップＳ２０８に戻る。
【００４５】
「登録する」ボタン５６１が押された場合（Ｓ２１０でＹＥＳ）、操作パネル部１０４にパスワード入力画面が表示される（Ｓ２１１）。すなわち、表示される画面がパスワード入力画面に遷移する。
【００４６】
図１１は、パスワード入力画面の一例を示す図である。図１１に示すように、パスワード入力画面５８０内には、英数字などの文字を入力するための文字キー５８１、およびパスワードの入力が終了したことを確認するためのＯＫボタン５９１、パスワードの入力をキャンセルするためのキャンセルボタン５９２が配置される。ここで、パスワードの入力は、ユーザが文字キー５８１を用いることにより行われる。
【００４７】
続いて、キャンセルボタン５９２がユーザにより押されたか否かが判断される（Ｓ２１２）。キャンセルボタン５９２が押された場合（Ｓ２１２でＹＥＳ）、ステップＳ２０８に戻る。
【００４８】
キャンセルボタン５９２が押されていない場合（Ｓ２１２でＮＯ）、ＯＫボタン５９１がユーザにより押されたか否かが判断される（Ｓ２１３）。ＯＫボタン５９１が押されていない場合（Ｓ２１３でＮＯ）、ステップＳ２１１に戻る。
【００４９】
ＯＫボタン５９１が押された場合（Ｓ２１３でＹＥＳ）、操作パネル部１０４にワンタッチキー名称入力画面が表示される（Ｓ２１４）。すなわち、表示される画面がワンタッチキー名称入力画面に遷移する。
【００５０】
図１２は、ワンタッチキー名称入力画面の一例を示す図である。図１２に示すように、ワンタッチキー名称入力画面６００内には、英数字などの文字を入力するための文字キー６０１、およびワンタッチキー名称の入力が終了したことを確認するためのＯＫボタン６１１、ワンタッチキー名称の入力をキャンセルするためのキャンセルボタン６１２が配置される。ワンタッチキー名称の入力は、ユーザが文字キー６０１を用いることにより行われる。
【００５１】
続いて、キャンセルボタン６１２がユーザにより押されたか否かが判断される（Ｓ２１５）。キャンセルボタン６１２が押された場合（Ｓ２１５でＹＥＳ）、ステップＳ２１１に戻る。
【００５２】
キャンセルボタン６１２が押されていない場合（Ｓ２１５でＮＯ）、ＯＫボタン６１１がユーザにより押されたか否かが判断される（Ｓ２１６）。ＯＫボタン６１１が押されていない場合（Ｓ２１６でＮＯ）、ステップＳ２１４に戻る。
【００５３】
ＯＫボタン６１１が押された場合（Ｓ２１６でＹＥＳ）、ステップＳ２０１に戻り、操作パネル部１０４にトップ画面が表示される。
【００５４】
図１３は、ワンタッチキー登録後のトップ画面の一例を示す図である。図１３に示すように、トップ画面６２０内には、登録されたワンタッチキー５１５が表示される。ここで、ワンタッチキー５１５には、ステップＳ２１４において入力されたワンタッチキー名称が付される。したがって、ユーザがワンタッチキー５１５を押すことにより、原稿を読み取った画像データは予め設定された宛先に簡単に送信され得る。
【００５５】
次に、図５および図６を参照して、図２のステップＳ１０５におけるユーティリティ処理について説明する。
【００５６】
まず、操作パネル部１０４にパスワード入力画面が表示される（Ｓ３０１）。すなわち、図１１に示したように、表示される画面がパスワード入力画面に遷移する。ここで、パスワードの入力は、ユーザが文字キー５８１を用いることにより行われる。
【００５７】
続いて、キャンセルボタン５９２がユーザにより押されたか否かが判断される（Ｓ３０２）。キャンセルボタン５９２が押された場合（Ｓ３０２でＹＥＳ）、ステップＳ１０１に戻る。
【００５８】
キャンセルボタン５９２が押されていない場合（Ｓ３０２でＮＯ）、ＯＫボタン５９１がユーザにより押されたか否かが判断される（Ｓ３０３）。ＯＫボタン５９１が押されていない場合（Ｓ３０３でＮＯ）、ステップＳ３０１に戻る。
【００５９】
ＯＫボタン５９１が押された場合（Ｓ３０３でＹＥＳ）、操作パネル部１０４にユーティリティ設定画面が表示される（Ｓ３０４）。すなわち、表示される画面がユーティリティ設定画面に遷移する。
【００６０】
図１４は、ユーティリティ設定画面の一例を示す図である。図１４に示すように、ユーティリティ設定画面６４０内には、各種のユーティリティを選択するためのユーティリティ項目群６４１、および「戻る」ボタン６５８が配置される。ユーティリティ項目群６４１には、ワンタッチキーを登録するための「ワンタッチキー」ボタン６５１が含まれる。また、図１４に示すように、アドレス帳の作成、ネットワークの設定、管理者パスワードの設定、あるいはシステムのシャットダウンなどのユーティリティを選択するためのボタンが含まれていてもよい。
【００６１】
続いて、「戻る」ボタン６５８がユーザにより押されたか否かが判断される（Ｓ３０５）。「戻る」ボタン６５８が押された場合（Ｓ３０５でＹＥＳ）、ステップＳ１０１に戻る。
【００６２】
「戻る」ボタン６５８が押されていない場合（Ｓ３０５でＮＯ）、「ワンタッチキー」ボタン６５１がユーザにより押されたか否かが判断される（Ｓ３０６）。「ワンタッチキー」ボタン６５１が押されていない場合（Ｓ３０６でＮＯ）、ステップＳ３０４に戻る。
【００６３】
「ワンタッチキー」ボタン６５１が押された場合（Ｓ３０６でＹＥＳ）、操作パネル部１０４にワンタッチキー一覧画面が表示される（Ｓ３０７）。すなわち、表示される画面がワンタッチキー一覧画面に遷移する。なお、ユーティリティ設定画面６４０において、他のユーティリティを選択するためのボタンが押された場合、押されたボタンに対応する所定のユーティリティが実行される。
【００６４】
図１５は、ワンタッチキー一覧画面の一例を示す図である。図１５に示すように、ワンタッチキー一覧画面６６０内には、ワンタッチキーが使用されるアプリケーションを選択するためのアプリケーションキー群６６１、ワンタッチキーに関する各種操作を選択するための操作メニュー６７１、および「戻る」ボタン６７８が配置される。
【００６５】
アプリケーションキー群６６１には、ＦＡＸ送信に使用されるワンタッチキーに関する操作を指示するためのＦＡＸキー６６２が含まれる。また、図１５に示すように、ＩＦＡＸ送信、電子メール送信、ハードディスクへの保存処理、あるいはＦＴＰ送信などのアプリケーションに使用されるワンタッチキーに関する操作を指示するためのキーが含まれていてもよい。
【００６６】
操作メニュー６７１には、ワンタッチキーを新規に登録するための新規登録ボタン６７２が含まれる。また、図１５に示すように、他の操作のためのボタンが含まれていてもよい。なお、新規登録ボタン６７２がデフォルトで選択されていて、他のボタンが押されることにより選択が切り替えられる。
【００６７】
続いて、「戻る」ボタン６７８がユーザにより押されたか否かが判断される（Ｓ３０８）。「戻る」ボタン６７８が押された場合（Ｓ３０８でＹＥＳ）、ステップＳ３０４に戻る。
【００６８】
「戻る」ボタン６７８が押されていない場合（Ｓ３０８でＮＯ）、ユーザにより、新規登録ボタン６７２が選択され、かつＦＡＸキー６６２が押されたか否かが判断される（Ｓ３０９）。新規登録ボタン６７２の選択およびＦＡＸキー６６２の押下が行われていない場合（Ｓ３０９でＮＯ）、ステップＳ３０７に戻る。なお、ワンタッチキー一覧画面６６０において、他のアプリケーションに使用されるワンタッチキーに関する操作を指示するためのキーが押された場合、あるいは他の操作のためのボタンが選択された場合、押されたキーあるいは選択されたボタンに対応する所定の処理が実行される。
【００６９】
新規登録ボタン６７２が選択され、かつＦＡＸキー６６２が押された場合（Ｓ３０９でＹＥＳ）、操作パネル部１０４にワンタッチキー名称入力画面が表示される（Ｓ３１０）。すなわち、図１２に示したように、表示される画面がワンタッチキー名称入力画面に遷移する。ここで、ワンタッチキー名称の入力は、ユーザが文字キー６０１を用いることにより行われる。
【００７０】
続いて、キャンセルボタン６１２がユーザにより押されたか否かが判断される（Ｓ３１１）。キャンセルボタン６１２が押された場合（Ｓ３１１でＹＥＳ）、ステップＳ３０７に戻る。
【００７１】
キャンセルボタン６１２が押されていない場合（Ｓ３１１でＮＯ）、ＯＫボタン６１１がユーザにより押されたか否かが判断される（Ｓ３１２）。ＯＫボタン６１１が押されていない場合（Ｓ３１２でＮＯ）、ステップＳ３１０に戻る。
【００７２】
ＯＫボタン６１１が押された場合（Ｓ３１２でＹＥＳ）、操作パネル部１０４に宛先設定画面が表示される（Ｓ３１３）。すなわち、表示される画面が宛先設定画面に遷移する。
【００７３】
図１６は、ユーティリティ処理における宛先設定画面の一例を示す図である。図１６に示す宛先設定画面５２０ｂもまた、図８に示した宛先設定画面５２０ａと同様に、情報（ここでは画像データ）の宛先の入力に用いられる入力画面である。宛先設定画面５２０ｂ内には、宛先設定画面５２０ａと同様に、テンキー５２３、アドレス帳情報欄５２５、宛先設定ボックス５２６、通信詳細項目の設定情報一覧５２７、および詳細設定ボタン５２８が配置される。また、宛先設定画面５２０ｂ内には、ＯＫボタン５３２およびキャンセルボタン５３３が配置される。ただし、宛先設定画面５２０ｂ内には、宛先設定画面５２０ａに存在するような送信処理の開始を指示するための開始キー５２１、および停止キー５２２は配置されない。
【００７４】
ここで、宛先設定ボックス５２６への宛先の入力、および通信詳細項目の設定は、図８において宛先設定画面５２０ａを用いた方法と同様であるため、その説明を省略する。
【００７５】
続いて、キャンセルボタン５３３がユーザにより押されたか否かが判断される（Ｓ３１４）。キャンセルボタン５３３が押された場合（Ｓ３１４でＹＥＳ）、ステップＳ３１０に戻る。
【００７６】
キャンセルボタン５３３が押されていない場合（Ｓ３１４でＮＯ）、ＯＫボタン５３２がユーザにより押されたか否かが判断される（Ｓ３１５）。ＯＫボタン５３２が押されていない場合（Ｓ３１５でＮＯ）、ステップＳ３１３に戻る。
【００７７】
ＯＫボタン５３２が押された場合（Ｓ３１５でＹＥＳ）、ステップＳ３０７に戻り、操作パネル部１０４にワンタッチキー一覧画面が表示される。
【００７８】
図１７は、ワンタッチキー登録後のワンタッチキー一覧画面の一例を示す図である。図１７に示すように、ワンタッチキー一覧画面６８０内には、登録されたワンタッチキー６６５が表示される。したがって、ユーザがトップ画面において登録されたワンタッチキーを押すことにより、原稿を読み取った画像データは予め設定された宛先に簡単に送信され得る。
【００７９】
このように本実施形態のデータ入力装置を備えたＭＦＰ１００は、画像データの宛先の入力に用いられる宛先設定画面を操作パネル部に表示させるための複数種類の指示のうち、画像データの送信を伴う指示を受け付けた場合、宛先設定画面内に画像データの送信処理の開始を指示するための開始キーを配置させる設定を行う。一方、ＭＦＰ１００は、画像データの送信を伴わずにワンタッチキーの登録を行う指示を受け付けた場合、宛先設定画面内に開始キーを配置させない設定を行う。つまり、入力画面としての宛先設定画面に配置するためのキー画像は、当該設定画面における操作上必要なキー画像のみに設定される。
【００８０】
したがって、データ入力装置において、たとえば画像データの宛先などの所定のデータの入力に用いられる入力画面を表示させるための指示が複数種類ある場合、当該入力画面における操作上で不要なキーが上記指示の種類に応じて当該入力画面から排除される。これにより、操作上不要なキーの存在によってユーザの誤操作を招いたりユーザに余計な混乱を与えたりする事態を確実に防止することが可能となる。
【００８１】
本発明は、上記した実施形態のみに限定されるものではなく、特許請求の範囲内において、種々改変することができる。
【００８２】
たとえば、上記した実施形態では、ＦＡＸ送信で使用されるワンタッチキーの登録時において宛先を設定する場合について説明したが、本発明はこれに限定されるものではない。本発明は、電子メール送信などの他の送信処理アプリケーションで使用されるワンタッチキーの登録時において宛先を設定する場合にも、同様に適用され得る。さらに、本発明は、情報の宛先を入力するための入力画面だけでなく、他のデータを入力するための入力画面にも適用され得る。
【００８３】
また、上記した実施形態では、本発明のデータ入力装置がＭＦＰに組み込まれた場合について説明したが、本発明はこれに限定されるものではない。本発明は、ファクシミリ、スキャナ、プリンタ、複写機、コンピュータ、携帯端末などの他の画像処理装置、あるいはテレビなどの電気機器にも適用され得る。
【００８４】
本発明において、データ入力装置における各種処理を行う手段および方法は、専用のハードウェア回路、またはプログラムされたコンピュータのいずれによっても実現することが可能である。上記プログラムは、例えばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、データ入力装置の一機能としてその装置のソフトウェアに組み込まれてもよい。
【００８５】
なお、上述した本発明の実施形態には、特許請求の範囲の請求項１〜５に記載した発明以外にも、以下の付記１、２に示すような発明が含まれる。
【００８６】
［付記１］  所定のデータの入力に用いられる入力画面を表示させるための複数種類の指示のうちのいずれかを受け付ける受付手順と、
前記受付手順において受け付けられた指示の種類に応じて、前記入力画面内に配置するためのキー画像を当該入力画面における操作上必要なキー画像のみに設定する設定手順と、
前記設定手順において設定されたキー画像が配置された前記入力画面を表示手段に表示させる指示を行う表示指示手順と
をコンピュータに実行させるためのデータ入力プログラム。
【００８７】
［付記２］  付記１に記載のデータ入力プログラムを記録したコンピュータ読み取り可能な記録媒体。
【００８８】
【発明の効果】
以上説明したように、本発明によれば、データ入力装置において、たとえば情報の宛先などの所定のデータの入力に用いられる入力画面を表示させるための指示が複数種類ある場合、当該入力画面における操作上で不要なキーが上記指示の種類に応じて当該入力画面から排除される。これにより、操作上不要なキーの存在によってユーザの誤操作を招いたりユーザに余計な混乱を与えたりする事態を確実に防止することが可能となる。
【図面の簡単な説明】
【図１】本発明の一実施形態に係るデータ入力装置を備えたＭＦＰの構成を示すブロック図である。
【図２】ＭＦＰで行われる処理について説明するためのフローチャートである。
【図３】図２に示されるＦＡＸ処理について説明するためのフローチャートである。
【図４】図３から続く、ＦＡＸ処理について説明するためのフローチャートである。
【図５】図２に示されるユーティリティ処理について説明するためのフローチャートである。
【図６】図４から続く、ユーティリティ処理について説明するためのフローチャートである。
【図７】トップ画面の一例を示す図である。
【図８】ＦＡＸ処理における宛先設定画面の一例を示す図である。
【図９】読込み確認画面の一例を示す図である。
【図１０】ワンタッチキー登録確認画面の一例を示す図である。
【図１１】パスワード入力画面の一例を示す図である。
【図１２】ワンタッチキー名称入力画面の一例を示す図である。
【図１３】ワンタッチキー登録後のトップ画面の一例を示す図である。
【図１４】ユーティリティ設定画面の一例を示す図である。
【図１５】ワンタッチキー一覧画面の一例を示す図である。
【図１６】ユーティリティ処理における宛先設定画面の一例を示す図である。
【図１７】ワンタッチキー登録後のワンタッチキー一覧画面の一例を示す図である。
【符号の説明】
１００…ＭＦＰ、
１０１…ＣＰＵ、
１０２…ＲＯＭ、
１０３…ＲＡＭ、
１０４…操作パネル部、
１０５…画像読取部、
１０６…印刷部、
１０７…ネットワークインタフェース、
１０８…電話回線インタフェース、
１０９…バス、
５００、６２０…トップ画面、
５２０ａ、５２０ｂ…宛先設定画面、
５２１…開始キー、
５４０…読込み確認画面、
５６０…ワンタッチキー登録確認画面、
５８０…パスワード入力画面、
６００…ワンタッチキー名称入力画面、
６４０…ユーティリティ設定画面、
６６０、６８０…ワンタッチキー一覧画面。
【図１】
2005004363.tif 000003
【図２】
2005004363.tif 000004
【図３】
2005004363.tif 000005
【図４】
2005004363.tif 000006
【図５】
2005004363.tif 000007
【図６】
2005004363.tif 000008
【図７】
2005004363.tif 000009
【図８】
2005004363.tif 000010
【図９】
2005004363.tif 000011
【図１０】
2005004363.tif 000012
【図１１】
2005004363.tif 000013
【図１２】
2005004363.tif 000014
【図１３】
2005004363.tif 000015
【図１４】
2005004363.tif 000016
【図１５】
2005004363.tif 000017
【図１６】
2005004363.tif 000018
【図１７】
2005004363.tif 000019